(57)【要約】【課題】コスト上昇を極力抑制した簡単かつ経済的に有利な構成で、視認性に優れたカメラステータスの表示手段を実現したカメラを提供する。【解決手段】箱形のカメラ筐体１０の内部に設けられたカメラステータス表示用のＬＥＤ１７と、上記カメラ筐体１０の正面壁１０Ａを除く他の一面をなす壁１０Ｃに上記ＬＥＤ１７の発光面１７ａに対向して設けられ、ＬＥＤ１７の発光面１７ａから出射された光をカメラ筐体１０の外部へ導出する、同径かつ直状で上記径より長い光路長の導光孔２０とを具備する。【選択図】図３
2016161801.tif 000002
【特許請求の範囲】
【請求項１】
箱形カメラ筐体の内部に設けられたカメラステータス表示用のＬＥＤと、
前記カメラ筐体の一面をなす壁に前記ＬＥＤに対向して設けられ、前記ＬＥＤから出射された光を前記カメラ筐体の外部へ導出する、直状かつ同じ径で該径より長い光路長の導光孔と、
を具備したことを特徴とするカメラ。
【請求項２】
前記ＬＥＤに向けて突出する膨出部が前記壁に設けられ、前記膨出部を貫通して前記壁に前記導光孔が形成されている請求項１に記載のカメラ。
【請求項３】
前記カメラ筐体の内部に、前記壁に対向して、前記ＬＥＤを実装したカメラ接続インターフェイス用の回路基板が設けられ、
前記壁に、前記回路基板に配線接続されたケーブル接続用のコネクタがプラグ接続端子を筐体外部に露出して設けられていることを特徴とする請求項１または２に記載のカメラ。
【請求項４】
レンズマウントを有したマウントベースにより箱形カメラ筐体の前面部が構成されたカメラであって、
前記カメラ筐体の後面部を構成する背面壁に対向して前記カメラ筐体の内部に設けられたカメラ接続インターフェイス用の回路基板と、
前記背面壁に発光面を向けて前記回路基板に実装されたカメラステータス表示用のＬＥＤと、
前記背面壁に、前記発光面に向け突出して設けられた膨出部と、
前記膨出部を通して前記背面壁に設けられ、前記発光面から出射された光を前記カメラ筐体の外部へ導く同径で直状の導光孔と、
を具備したことを特徴とするカメラ。
【請求項５】
前記導光孔は前記背面壁を構成するアルミ合金の素地で形成され、孔径より長い光路長の導光路を形成していることを特徴とする請求項１または４に記載のカメラ。
【請求項６】
前記回路基板に配線接続され、プラグ接続端子を筐体外部に露出して、前記背面壁に、電源供給路およびシリアル通信路となるＵＳＢコネクタが設けられていることを特徴とする請求項４に記載のカメラ。
【発明の詳細な説明】
【技術分野】
【０００１】
本発明は、例えばマシンビジョンシステムに適用して好適なカメラに関する。
【背景技術】
【０００２】
マシンビジョンシステムにおいては、撮像素子となるエリアイメージセンサにＣＣＤまたはＣＭＯＳイメージセンサを用いたＦＡカメラと称される工業用電子撮像カメラが広く用いられている。
【０００３】
この種、マシンビジョンシステムに適用されるＦＡカメラは、例えばＩＥＥＥ１３９４規格やＵＳＢ３．０規格に対応する高速シリアルバスを介してホスト側機器への接続を可能にし、例えば高速シリアルインターフェイスによるランダムトリガ機能を有した監視カメラ装置として広く適用される。このカメラを複数台シリアルバス接続して閉回路を構成したカメラシステムにおいては、監視モニタ側でカメラ個々の撮影状態を認識可能であるが、カメラ個々に、カメラの動作状態を認識できるカメラステータスの表示手段を設けることで、カメラの設置作業やメンテナンス作業、故障解析作業などを円滑に行うことができる。これを実現する手段として、カメラ筐体内部のインターフェイス基板にステータス表示用のＬＥＤを実装し、インターフェイス接続用のコネクタを設けた筐体面にＬＥＤの覗き穴を設けることで経済的に有利な構成のカメラステータスの表示手段を実現できる。しかしながら、この表示手段は、筐体内にコネクタの端子配線部分が介在することから、筐体面に設けた覗き穴とインターフェイス基板に実装されたＬＥＤとの間が離間し、覗き穴からＬＥＤを直視しないと視認が困難であった。そこで覗き穴をテーパ状に拡げてＬＥＤを直接視認する視野角を拡げた構成としたが、この構成においても十分な視認性を得ることができなかった。
【先行技術文献】
【特許文献】
【０００４】
【特許文献１】特開２００８−２２６０２１号公報
【特許文献２】特開２００５−０５０６７６号公報
【特許文献３】特開平３−２７８４５２号公報
【発明の概要】
【発明が解決しようとする課題】
【０００５】
本発明は上記実情に鑑みなされたもので、コスト上昇を極力抑制した簡単かつ経済的に有利な構成で、視認性に優れたカメラステータスの表示手段を実現することのできるカメラを提供することを目的とする。
【課題を解決するための手段】
【０００６】
本発明の実施形態に係るカメラは、箱形カメラ筐体の内部に設けられたカメラステータス表示用のＬＥＤと、前記カメラ筐体の一面をなす壁に前記ＬＥＤに対向して設けられ、前記ＬＥＤから出射された光を前記カメラ筐体の外部へ導出する、直状かつ同じ径で該径より長い光路長の導光孔と、を具備したことを特徴とする。
【０００７】
また本発明の実施形態は、レンズマウントを有したマウントベースにより箱形カメラ筐体の前面部が構成されたカメラであって、前記カメラ筐体の後面部を構成する背面壁に対向して前記カメラ筐体の内部に設けられたカメラ接続インターフェイス用の回路基板と、前記背面壁に発光面を向けて前記回路基板に実装されたカメラステータス表示用のＬＥＤと、前記背面壁に、前記発光面に向け突出して設けられた膨出部と、前記膨出部を通して前記背面壁に設けられ、前記発光面から出射された光を前記カメラ筐体の外部へ導く同径で直状の導光孔と、を具備したことを特徴とする。
【発明の効果】
【０００８】
本発明によればコスト上昇を極力抑制した簡単かつ経済的に有利な構成で、視認性に優れたカメラステータスの表示手段を実現したカメラを提供できる。
【図面の簡単な説明】
【０００９】
【図１】本発明の実施形態に係るカメラの外観を示す斜視図。
【図２】図１に示すカメラの背面図。
【図３】図２のＡ−Ａ線に沿う断面図。
【図４】図３のａ部を拡大して示す断面図。
【図５】本発明の他の実施形態に係るカメラの要部の構成を示す断面図。
【発明を実施するための形態】
【００１０】
以下図面を参照して本発明の実施形態を説明する。
【００１１】
本発明の実施形態に係るカメラの構成を図１乃至図４に示す。図１は実施形態に係るカメラを背面側からみた外観斜視図、図２は図１に示すカメラの背面図、図３は図２のＡ−Ａ線に沿う断面図、図４は図３のａ部を拡大して示す断面図である。
【００１２】
本発明の実施形態に係るカメラは、上記図１乃至図４に示すように、レンズマウント１１を正面壁１０Ａに有した箱形のカメラ筐体１０と、このカメラ筐体１０の内部に設けられたカメラステータス表示用のＬＥＤ１７と、上記カメラ筐体１０の一面をなす壁（例えば背面壁）１０Ｃに上記ＬＥＤ１７の発光面１７ａに対向して設けられ、ＬＥＤ１７の発光面１７ａから出射された光をカメラ筐体１０の外部へ導出する、直状かつ同じ径で上記径より長い導光孔２０とを具備して構成されている。
【００１３】
この実施形態では、レンズマウントを有した正面壁１０Ａを、基底部を取付基準面１０ｓとしたマウントベースの前面壁により構成し、このマウントベース１０Ａと背面壁１０Ｃをそれぞれアルミ合金により構成したカメラ筐体１０を例示している。このカメラ筐体１０の内部に、発光面１７ａを背面壁１０Ｃに向けて実装した回路基板１４を背面壁１０Ｃの壁面に対向して設けている。また発光面１７ａに向け突出する膨出部１８を背面壁１０Ｃに設け、この膨出部１８を通して背面壁１０Ｃに、発光面１７ａから出射された光をカメラ筐体１０の外部へ導く、直状かつ同じ径で上記径より長い導光孔２０を設けている。
【００１４】
この導光孔２０の内壁面（導光面）は背面壁１０Ｃを構成するアルミ合金の素地で形成され、孔径より長い光路長の導光路２１を形成している。
【００１５】
図３に示すように、ＬＥＤ１７の発光面１７ａから出射された光は、導光路２１で乱反射し鮮明な光束のカメラステータス表示光（ＳＣ−ｂ）として背面壁１０Ｃに形成された導光孔２０の開口から筐体外部へ放射される。
【００１６】
これにより、導光孔２０の導光路２１をなす壁面が目視可能な範囲内の何処においても、作業者がＬＥＤ１７の発光面１７ａから出射された光を鮮明な光束のカメラステータス表示光（ＳＣ−ｂ）として目視でき、筐体内部のＬＥＤによるカメラステータスの表示内容を明確に視認できる。
【００１７】
この導光孔２０を有したカメラステータスの表示手段をシリアルバス接続された複数のカメラ各々に設けることで、上記背面壁１０Ｃにコネクタ接続される信号ケーブルに阻害されることなく（背面壁１０Ｃから覗き込むことなく）、導光孔２０の導光路２１をなす壁面が目視可能な範囲内において、容易にかつ明確にカメラステータス表示光（ＳＣ−ｂ）を視認でき、これによってカメラの設置作業やメンテナンス作業、故障解析作業などを効率よく円滑に実施することができる。
【００１８】
この実施形態においては、上記したアルミ合金を素材としたマウントベース１０Ａおよび背面壁１０Ｃと、断面コ字状のカバー１０Ｂとを箱形に組み合わせた３ピースの筐体構造でカメラ筐体１０を構成している。マウントベース１０Ａは撮像窓１１ａを有するレンズマウント１１およびレンズマウント１１の光軸（Ｏ）に平行する取付基準面１０ｓを備えて、レンズマウント１１を有する光軸（Ｏ）に直交する壁面部によりカメラ筐体１０の前面部を構成し、取付基準面１０ｓによりカメラ筐体１０の底面部（基底部）を構成している。カバー１０Ｂはカメラ筐体１０の上面部および側面部を構成している。背面壁１０Ｃはカメラケーブルが接続されるコネクタの実装部を有したカメラ筐体１０の背面部を構成している。この背面壁１０Ｃを背面板と呼称する。この背面板１０Ｃには、カメラケーブルを接続するコネクタ１５，１６の取付部を除いた所定の面部に、カメラステータスの表示手段を構成する導光孔２０が設けられている。この導光孔２０の構成については図４を参照して後述する。なお図３では、背面板１０Ｃに、ＵＳＢケーブルが接続されるＵＳＢコネクタ１５と、ランダムトリガの信号路となるｅ−ＣＯＮプラグを有したケーブルが接続されるｅ−ＣＯＮコネクタ１６を設けた構成を例示しているが、用途に応じたケーブル接続構成であってよく、例えばランダムトリガ機能が不要なシステムではｅ−ＣＯＮプラグを必要としない。
【００１９】
カメラ筐体１０の内部には、撮像窓１１ａに対向してセンサ基板（図示せず）が設けられ、背面板１０Ｃに対向して上記回路基板と称したインターフェイス基板１４が設けられている。センサ基板には、ＣＣＤまたはＣＭＯＳイメージセンサにより構成される撮像素子（エリアイメージセンサ）１３が撮像面１３ｆを光軸（Ｏ）上に配して実装されている。インターフェイス基板４には上記した各コネクタ１５，１６がそれぞれカメラケーブルのプラグ接続端子を筐体外部に露出した状態で実装され、この各コネクタ１５，１６が筐体内部のコネクタ配線によりインターフェイス基板１４に回路接続されている。
【００２０】
この各コネクタ１５，１６と配線接続されたインターフェイス基板１４は、背面板１０Ｃとの間に、各コネクタ１５，１６の実装並びに配線部分が介在した所定の間隔を存して背面板１０Ｃに対向し筐体内に固定される。このインターフェイス基板１４には、カメラステータス表示用のＬＥＤ１７が発光面１７ａを背面板１０Ｃの対向する面部に向けて実装されている。
【００２１】
背面板１０Ｃには、ＬＥＤ１７の発光面１７ａに向けて光軸（Ｏ）と平行する方向に突出する膨出部１８が設けられ、この膨出部１８をその突出方向に貫通して上記背面板１０Ｃに、上記発光面１７ａから出射された光を上記カメラ筐体１０の外部へ導く、直状かつ同じ径で上記径より長い導光孔２０が設けられている。この導光孔２０の内壁面（導光面）は上記背面板１０Ｃを構成するアルミ合金の素地で形成され、孔径より長い光路長の導光路２１を形成している。
【００２２】
この実施形態では、インターフェイス基板１４に実装されたＬＥＤ１７の発光面１７ａと、背面壁１０Ｃに穿設された導光孔２０の導光路２１が、光軸（Ｏ）と平行する一直線上に配置され、ＬＥＤ１７の発光面１７ａと導光孔２０の導光路２１とにより光軸（Ｏ）方向に沿うカメラステータス表示用の光路が形成されている。
【００２３】
上記背面板１０Ｃは、マウントベース１０Ａとともにアルミ合金を素材とし、塗装（色相＝黒色）されている。実施形態では上記膨出部１８を通して背面板１０Ｃに設けられた導光孔２０の塗装（黒色）皮膜をドリルの孔開けによりアルミ合金の素地に戻している。因みに実施形態におけるドリル孔開け後の導光孔２０の孔径は、１．３φであり、導光路２１の光路長は５mm（孔径の約４倍の長さ）である。
【００２４】
このように構成された導光孔２０によるカメラステータスの表示手段は、カメラステータス表示用ＬＥＤ１７の発光面１７ａから出射された光が、導光路２１で乱反射し鮮明な光束のカメラステータス表示光（ＳＣ−ｂ）として背面板１０Ｃに形成された導光孔２０の開口からカメラ筐体１０の外部へ放射される。
【００２５】
これにより、カメラの設置作業やメンテナンス作業、故障解析作業などを行う作業者は、導光孔２０の導光路２１をなす壁面が目視可能な範囲内の何処においても、カメラステータス表示用ＬＥＤ１７の発光面１７ａから出射された光を鮮明な光束のカメラステータス表示光（ＳＣ−ｂ）として目視でき、筐体内部のＬＥＤによるカメラステータスの表示内容を明確に視認できる。実施形態では、正常動作状態を緑色、異常状態を赤色、制御可能な状態を橙色でそれぞれ表示している。
【００２６】
この導光孔２０を有したカメラステータスの表示手段をシリアルバス接続された複数のカメラ各々に設けることで、上記背面板１０Ｃにコネクタ接続される信号ケーブルに阻害されることなく、また背面板１０Ｃに顔を近付けて背面板１０Ｃから覗き込むことなく、導光孔２０の導光路２１をなす壁面が目視可能な範囲内において、容易にかつ明確にカメラステータス表示光（ＳＣ−ｂ）を視認でき、上記各種の作業を効率よく円滑に実施することができる。
【００２７】
上記図４に示す実施形態に対して、一部構成要素を変形した本発明の他の実施形態に係る構成を図５に示している。
【００２８】
上記した図４に示す実施形態の構成は、カメラステータス表示用ＬＥＤ１７の発光面１７ａと、膨出部１８先端に開口された導光孔２０の開口面との間に、間隙部が形成された構成であるのに対して、図５に示す他の実施形態の構成は、膨出部１８の突出長を、膨出部１８に設けた導光孔２０の先端部分がＬＥＤ１７の周囲を囲む位置まで延長し、発光面１７ａの周囲を導光路２１を形成する導光孔２０の壁面で囲った構成として、導光孔２０の開口部を除いた膨出部１８の先端部分と当該部分に対向するインターフェイス基板１４の板面との間に、スペーサ（ｓ）を介在して、回路基板が収められたカメラ筐体１０の内部を密閉した構造（水密構造）としている。
【００２９】
この構成においても導光孔２０の導光路２１をなす壁面が目視可能な範囲内において、容易にかつ明確にカメラステータス表示光（ＳＣ−ｂ）を視認でき、上記各種の作業を効率よく円滑に実施することができる。
【００３０】
なお、上記した実施形態に係る、背面板１０Ｃを含むカメラ筐体１０の構造や形状、カメラ筐体１０内の基板配置や基板構成、導光孔２０の配置などは図示したものに限らず、変形、変更が可能である。例えば背面板１０Ｃに設けたコネクタについても、ランダムトリガ機能を必要としないカメラにおいては背面板１０Ｃにｅ−ＣＯＮコネクタ１６を設ける必要がなく、また、導光孔２０とＵＳＢコネクタ１５をそれぞれ背面板１０Ｃに設けた構成でなく、導光孔２０、ＵＳＢコネクタ１５のいずれか若しくは双方をカメラ筐体１０の他の一壁面、例えばカバー１０Ｂの一側壁面に設けた構成であってもよい。
【符号の説明】
【００３１】
１０…カメラ筐体、１０Ａ…マウントベース、１０ｓ…取付基準面、１０Ｂ…カバー、１０Ｃ…背面壁（背面板）、１１…レンズマウント、１１ａ…撮像窓、１３…撮像素子（エリアイメージセンサ）、１４…回路基板（インターフェイス基板）、１５，１６…コネクタ、１７…ＬＥＤ、１７ａ…発光面、１８…膨出部、２０…導光孔、２１…導光路。
【図１】
2016161801.tif 000003
【図２】
2016161801.tif 000004
【図３】
2016161801.tif 000005
【図４】
2016161801.tif 000006
【図５】
2016161801.tif 000007